【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
オーガナイザシステム（２）を形成する表面部材（３）を有するストレージデバイス（１）であって、前記表面部材（３）が、複数のバッグ部材（５，７，８）及び／又は受け入れ器具（６）を有し、前記受け入れ器具（６）が、前記表面部材（３）の面（４）上でそれぞれ規定された位置に配置されたバッグ部材（７）又は機能部材を受け入れるためのものであり、
特定の機能を有する内容物（１６）にはそれぞれ１つのバッグ部材（５，７，８）が割り当てられ、前記バッグ部材（５，７，８）の内容物（１６）が、常時携行されるべき必須アイテムを含むユーザのための基本装備を代表し、
前記表面部材（３）が、限定可能な機能に対してラゲッジ（２１，２２）の少なくとも１ピース又は衣類（２３）のアイテムにおいて、前記ストレージデバイス（１）の対応部としての旅行用又は日常用部分において、随意的な使用のために移行可能に具現化され、保持器具（２４）によってそこに固定的に取り付け可能であり、
パック済みの前記表面部材（３）の寸法決めに関して、前記保持器具（２４）が、少なくとも１つの保持手段（２５，２６）と共に、パック済みの前記表面部材（３）の下縁（３３）と前記表面部材（３）を受け入れる前記ラゲッジ（２１，２２）のピースの底部領域（２７）とが少なくとも略同一平面となり又は前記底部領域（２７）にパック済みの前記表面部材（３）が接触しない程度に、特に前記底部領域（２７）から外に向いている縁領域（２８）において、前記底部領域（２７）から離れて配置されることを特徴とするストレージデバイス。
【請求項２】
オーガナイザシステム（２）を形成する表面部材（３）を有するストレージデバイス（１）であって、前記表面部材（３）が、複数のバッグ部材（５，７，８）及び／又は受け入れ器具（６）を有し、前記受け入れ器具（６）が、前記表面部材（３）の面（４）上でそれぞれ規定された位置に配置されたバッグ部材（７）又は機能部材を受け入れるためのものであり、
特定の機能を有する内容物（１６）にはそれぞれ１つのバッグ部材（５，７，８）が割り当てられ、前記バッグ部材（５，７，８）の内容物（１６）が、常時携行されるべき必須アイテムを含むユーザのための基本装備を代表し、
前記表面部材（３）が、限定可能な機能に対してラゲッジ（２１，２２）の少なくとも１ピース又は衣類（２３）のアイテムにおいて、前記ストレージデバイス（１）の対応部としての旅行用又は日常用部分において、随意的な使用のために移行可能に具現化され、保持器具（２４）によってそこに固定的に取り付け可能であり、
前記バッグ部材（５，７，８）が、それらの取り出し用開口及び閉鎖器具（９，１９，４２）と共に、前記表面部材（３）の折り畳まれた状態においても、特に前記表面部材（３）がクラッチ（３５）内へと折り畳まれた状態においても、前記バッグ部材（５，７，８）の内容物（１６）へのアクセス性が前記表面部材（３）の両側から確保されるように設計されることを特徴とするストレージデバイス。
【請求項３】
前記機能が、携帯電話、クレジットカード、デビットカード、入場カード、身分証明書類、現金、キー、ペン、光学製品、医薬品、及び化粧品のためのストレージの少なくとも１つの領域から選択されることを特徴とする請求項１又は２に記載のストレージデバイス。
【請求項４】
前記バッグ部材（５，７，８）が、前記内容物（１６）が前記バッグ部材（５，７，８）の取出し用開口（３６，３７）から落下したり盗難されたりすることのないように前記内容物（１６）を固定するための閉鎖器具（１９）を有し、前記取出し用開口（３６，３７）が、前記ストレージデバイス（１）の内部で前記閉鎖器具（９，１９，４２）が閉じた状態で垂直に、水平に、又は横方向に方位付けられており、前記閉鎖器具（９，１９，４２）が、好ましくは押しボタン接続、ベルクロ（登録商標）型接続、ラッチ接続、フック若しくはジッパー接続、スナップイン接続、特にクリップ接続、又は磁石接続として具現化されることを特徴とする請求項１〜３のいずれかに記載のストレージデバイス。
【請求項５】
前記保持器具（２４）が、関連する保持手段（２５，２６）との押しボタン接続、ベルクロ（登録商標）型接続、ラッチ接続、フック接続、スナップイン接続、特にクリップ接続、又は磁石接続として具現化されることを特徴とする請求項１〜４のいずれかに記載のストレージデバイス。
【請求項６】
前記表面部材（３）が、柔軟な単層又は多層材料から作られ、特に皮革又は繊維製品から作られることを特徴とする請求項１〜５のいずれかに記載のストレージデバイス。
【請求項７】
前記保持器具（２４）が、２つの保持手段（２６）を最大限に作動させることによって前記表面部材（３）がパック済みの状態で移行され得るように設計されることを特徴とする請求項１〜６のいずれかに記載のストレージデバイス。
【請求項８】
前記保持器具（２４）には、前記表面部材（３）を前記ラゲッジ（２１，２２）のそれぞれのピース又は前記衣類のアイテムに取り付けるための閉鎖具を形成する保持手段（２５，２６）が形成されることを特徴とする請求項１〜７のいずれかに記載のストレージデバイス。
【請求項９】
折り畳むことにより前記表面部材（３）が別個のバッグ（３５）、特にクラッチに変わることができ、前記別個のバッグ（３５）が、好ましくはその側部（３１，３２）で前記表面部材（３）の上縁（３０）に向かって開いていることを特徴とする請求項１〜８のいずれかに記載のストレージデバイス。
【請求項１０】
前記バッグ部材（７）の少なくとも１つが、少なくとも１つのリボン（１７）を有するアクセス器具（２０）と共に具現化され、前記バッグ部材（７）には互いに反対側に配置されて内部空間（１５）を定める少なくとも１つの第１の壁及び１つの第２の壁（１０，１１）が形成され、前記壁（１０，１１）が、少なくとも底部領域（１２）を介して互いに接続され、前記リボン（１７）が、前記底部領域（１２）の上方で前記壁の１つ（１０）に取り付けられ、且つ自由端（１７Ａ）と共に前記底部領域（１２）の上方の反対壁（１１）における開口（４０）を介して前記内部空間（１５）から外に案内され、前記リボン（１７）の長さ及び案内が、前記リボン（１７）を前記内部空間（１５）から動かしたときに、その内部に位置し且つ前記リボン（１７）によって把持される内容物（１６）が前記底部領域（１２）から離間するように動かされるべく設計されることを特徴とする請求項１〜９のいずれかに記載のストレージデバイス。
【請求項１１】
前記表面部材（３）が、前記リボン（１７）と共に作用する保持部材を有していることを特徴とする請求項１０に記載のストレージデバイス。
【請求項１２】
前記バッグ部材（７）を前記表面部材（３）に固定的に取り付ける前記受け入れ器具（６）が、ループストラップと保持部材としての閉鎖器具（１９）のラグ又は閉鎖部材（４１）とを有し、特に前記ループストラップが、２つの材料スリット（３８，３９）によって前記表面部材（３）に形成されることを特徴とする請求項１〜１１のいずれかに記載のストレージデバイス。
【請求項１３】
前記ラゲッジ（２１，２２）のピースが、バッグ、特に旅行用バッグ、スポーツバッグ、ブリーフケース、ショッピングバッグ、ハンドバッグ、スーツケース、又はバックパックにより具現化されることを特徴とする請求項１〜１２のいずれかに記載のストレージデバイス。
【請求項１４】
前記衣類（２３）のアイテムがジャケット又はコートにより具現化されることを特徴とする請求項１〜１３のいずれかに記載のストレージデバイス。
【請求項１５】
ラゲッジ（２１，２２）の少なくとも２ピースと請求項１〜１４のいずれかに記載の少なくとも１つのストレージデバイス（１）とを有するラゲッジシステムであって、
前記表面部材（３）を前記ラゲッジ（２１，２２）のそれぞれのピースに取り付けるための前記保持器具（２４）が、前記ラゲッジ（２１，２２）の全てのピースにおいて前記ラゲッジ（２１，２２）のピースの底部領域（２７）から同じ距離で配置され、前記表面部材（３）が、その底縁（３３）と共に前記底部領域（２７）と少なくとも略同一平面となることを特徴とするラゲッジシステム。